(57)【要約】【課題】撮影装置で撮影した画像を制御装置側で確認する際、該確認を迅速に行うことができ、ユーザにとって使い勝手のよいカメラシステム及び制御装置を提供する。【解決手段】通信ネットワークＮを介して、撮影装置１１と、制御装置１６とが互いに接続されるカメラシステム１において、撮影装置１１は、制御装置１６からのスルー画像撮影の指示に基づいてスルー画像撮影を行うとともに、制御装置１６からの本画像撮影の指示に基づいて本画像撮影を行い、制御装置１６は、撮影装置１１にスルー画像撮影の指示をした場合は、該スルー画像撮影により得られたスルー画像データを表示部１６３に表示するとともに、撮影装置１１に本画像撮影の指示をした場合は、予め得られたスルー画像データを表示部１６３に表示し、記憶部１１３に、撮影装置１１の本画像撮影により得られた本画像データを記憶させるよう構成した。【選択図】図１
2007129525.tif 000002
【特許請求の範囲】
【請求項１】
通信手段を介して、撮影装置と、表示手段を有する制御装置とが互いに接続され、該撮影装置は、該制御装置からの指示に基づいて、少なくともスルー画像撮影と本画像撮影を行い、該制御装置は、該撮影装置の撮影により得られた画像データを該表示手段に表示するカメラシステムにおいて、
前記カメラシステムは、前記撮影装置の撮影により得られた画像データを記憶する記憶手段を備え、
前記撮影装置は、前記制御装置からのスルー画像撮影の指示に基づいてスルー画像撮影を行うとともに、前記制御装置からの本画像撮影の指示に基づいて本画像撮影を行い、
前記制御装置は、前記撮影装置にスルー画像撮影の指示をした場合は、該スルー画像撮影により得られたスルー画像データを前記表示手段に表示するとともに、前記撮影装置に本画像撮影の指示をした場合は、予め得られたスルー画像データを前記表示手段に表示し、
前記記憶手段は、前記撮影装置の本画像撮影により得られた本画像データを記憶することを特徴とするカメラシステム。
【請求項２】
請求項１に記載のカメラシステムにおいて、
前記記憶手段は、前記撮影装置に備えられていることを特徴とするカメラシステム。
【請求項３】
請求項１に記載のカメラシステムにおいて、
前記記憶手段は、前記制御装置に備えられていることを特徴とするカメラシステム。
【請求項４】
請求項１〜３の何れか一項に記載のカメラシステムにおいて、
前記制御装置は、前記撮影装置に本画像撮影の指示をした場合は、前記撮像装置から該本画像撮影による本画像データが得られると、前記予め得られたスルー画像データから、該得られた本画像データに切り換えて前記表示手段に表示することを特徴とするカメラシステム。
【請求項５】
請求項４に記載のカメラシステムにおいて、
前記制御装置は、前記本画像データを前記表示手段に表示する際に、該表示した画像データが本画像データである旨を所定の表示態様で表示することを特徴とするカメラシステム。
【請求項６】
通信手段を介して、撮影装置と、表示手段を有する制御装置とが互いに接続され、該撮影装置は、該制御装置からの指示に基づいて、少なくともスルー画像撮影と本画像撮影を行い、該制御装置は、該撮影装置の撮影により得られた画像データを該表示手段に表示するカメラシステムにおいて、
前記カメラシステムは、前記撮影装置の撮影により得られた画像データを記憶する記憶手段を備え、
前記撮影装置は、前記制御装置からのスルー画像撮影の指示に基づいてスルー画像撮影を行うとともに、前記制御装置からの本画像撮影の指示に基づいて本画像撮影を行って、該本画像撮影により得られた本画像データから該本画像データよりも低解像度の低解像画像データを生成し、
前記制御装置は、前記撮影装置にスルー画像撮影の指示をした場合は、該スルー画像撮影により得られたスルー画像データを前記表示手段に表示するとともに、前記撮影装置に本画像撮影の指示をした場合は、該本画像撮影により得られた低解像画像データを前記表示手段に表示し、
前記記憶手段は、前記撮影装置の本画像撮影により得られた本画像データを記憶することを特徴とするカメラシステム。
【請求項７】
請求項６に記載のカメラシステムにおいて、
前記制御装置は、前記低解像画像データを前記表示手段に表示する際に、該表示した低解像画像データが本画像データから生成されたものである旨を所定の表示態様で表示することを特徴とするカメラシステム。
【請求項８】
通信手段を介して、撮影装置を接続し、該撮影装置に対して、少なくともスルー画像撮影の指示と本画像撮影の指示を行い、前記撮影装置の撮影により得られた画像データを表示手段に表示する制御装置において、
前記撮影装置にスルー画像撮影の指示をした場合は、該スルー画像撮影により得られたスルー画像データを前記表示手段に表示するとともに、前記撮影装置に本画像撮影の指示をした場合は、予め得られたスルー画像データを前記表示手段に表示することを特徴とする制御装置。
【請求項９】
請求項８に記載の制御装置において、
前記撮影装置の本画像撮影により得られた本画像データを記憶する記憶手段を備えることを特徴とする制御装置。
【請求項１０】
請求項８又は９に記載の制御装置において、
前記撮影装置に本画像撮影の指示をした場合は、前記撮像装置から該本画像撮影による本画像データが得られると、前記予め得られたスルー画像データから、該得られた本画像データに切り換えて前記表示手段に表示することを特徴とする制御装置。
【請求項１１】
請求項１０に記載の制御装置において、
前記本画像データを前記表示手段に表示する際に、該表示した画像データが本画像データである旨を所定の表示態様で表示することを特徴とする制御装置。
【請求項１２】
スルー画像撮影と本画像撮影を行って、該本画像撮影により得られた本画像データから該本画像データよりも低解像度の低解像画像データを生成する撮影装置を、通信手段を介して接続し、該撮影装置に対して、少なくともスルー画像撮影の指示と本画像撮影の指示を行い、前記撮影装置の撮影により得られた画像データを表示手段に表示する制御装置において、
前記撮影装置にスルー画像撮影の指示をした場合は、該スルー画像撮影により得られたスルー画像データを前記表示手段に表示するとともに、前記撮影装置に本画像撮影の指示をした場合は、該本画像撮影により得られた本画像データから生成された低解像画像データを前記表示手段に表示することを特徴とする制御装置。
【請求項１３】
請求項１２に記載の制御装置において、
前記低解像画像データを前記表示手段に表示する際に、該表示された低解像画像データが本画像データから生成されたものである旨を所定の表示態様で表示することを特徴とする制御装置。
【発明の詳細な説明】
【技術分野】
【０００１】
本発明は、カメラシステム及び制御装置に関する。
【背景技術】
【０００２】
従来、デジタルカメラなどの撮影装置と、該撮影装置を制御するパーソナルコンピュータなどの制御装置と、を所定の通信手段を介して接続したカメラシステムが知られている。
このようなカメラシステムにおいて、撮影装置は、例えば、制御装置からの制御コマンドに従って、画像を撮影して該撮影した画像の画像データを制御装置に転送するようになっている。そして、制御装置は、例えば、撮影装置から転送された画像データに基づく画像を表示するようになっている。
【０００３】
近年では、撮影装置の高画素化に伴って画像データのデータ量が増大しているため、撮影装置から制御装置への画像データの転送に時間がかかり、制御装置から撮影装置への制御コマンドの送信が瞬時に行えないという問題が生じている。そこで、例えば、撮影装置から画像データを転送している間でも、制御装置から制御コマンドを送信することができるよう、画像データの転送と制御コマンドの送信とに異なる通信経路を用いるカメラシステムが提案されている（例えば、特許文献１参照）。
【特許文献１】特開２００１−２６８４２４号公報
【発明の開示】
【発明が解決しようとする課題】
【０００４】
ところで、デジタルカメラなどの撮影装置には、本撮影の後に、ユーザが該撮影装置により本撮影された画像を確認することができるよう、アフタービュー機能が備えられている。
上述したカメラシステムにおいても、本撮影の後に、アフタービュー機能によって、撮影装置側で本撮影された画像を制御装置側で確認したいという要望がある。しかしながら、撮影装置から制御装置への画像データの転送に時間がかかるため、アフタービューまでに時間がかかり、本撮影された画像を直ぐに確認することができず、ユーザにとって使い勝手が悪いという問題がある。
【０００５】
本発明の課題は、撮影装置で撮影した画像を制御装置側で確認する際、該確認を迅速に行うことができ、ユーザにとって使い勝手のよいカメラシステム及び制御装置を提供することにある。
【課題を解決するための手段】
【０００６】
上記課題を解決するために、請求項１に記載の発明は、通信手段を介して、撮影装置と、表示手段を有する制御装置とが互いに接続され、該撮影装置は、該制御装置からの指示に基づいて、少なくともスルー画像撮影と本画像撮影を行い、該制御装置は、該撮影装置の撮影により得られた画像データを該表示手段に表示するカメラシステムにおいて、前記カメラシステムは、前記撮影装置の撮影により得られた画像データを記憶する記憶手段を備え、前記撮影装置は、前記制御装置からのスルー画像撮影の指示に基づいてスルー画像撮影を行うとともに、前記制御装置からの本画像撮影の指示に基づいて本画像撮影を行い、前記制御装置は、前記撮影装置にスルー画像撮影の指示をした場合は、該スルー画像撮影により得られたスルー画像データを前記表示手段に表示するとともに、前記撮影装置に本画像撮影の指示をした場合は、予め得られたスルー画像データを前記表示手段に表示し、前記記憶手段は、前記撮影装置の本画像撮影により得られた本画像データを記憶することを特徴とする。
【０００７】
請求項２に記載の発明は、請求項１に記載のカメラシステムにおいて、前記記憶手段は、前記撮影装置に備えられていることを特徴とする。
【０００８】
請求項３に記載の発明は、請求項１に記載のカメラシステムにおいて、前記記憶手段は、前記制御装置に備えられていることを特徴とする。
【０００９】
請求項４に記載の発明は、請求項１〜３の何れか一項に記載のカメラシステムにおいて、前記制御装置は、前記撮影装置に本画像撮影の指示をした場合は、前記撮像装置から該本画像撮影による本画像データが得られると、前記予め得られたスルー画像データから、該得られた本画像データに切り換えて前記表示手段に表示することを特徴とする。
【００１０】
請求項５に記載の発明は、請求項４に記載のカメラシステムにおいて、前記制御装置は、前記本画像データを前記表示手段に表示する際に、該表示した画像データが本画像データである旨を所定の表示態様で表示することを特徴とする。
【００１１】
請求項６に記載の発明は、通信手段を介して、撮影装置と、表示手段を有する制御装置とが互いに接続され、該撮影装置は、該制御装置からの指示に基づいて、少なくともスルー画像撮影と本画像撮影を行い、該制御装置は、該撮影装置の撮影により得られた画像データを該表示手段に表示するカメラシステムにおいて、前記カメラシステムは、前記撮影装置の撮影により得られた画像データを記憶する記憶手段を備え、前記撮影装置は、前記制御装置からのスルー画像撮影の指示に基づいてスルー画像撮影を行うとともに、前記制御装置からの本画像撮影の指示に基づいて本画像撮影を行って、該本画像撮影により得られた本画像データから該本画像データよりも低解像度の低解像画像データを生成し、前記制御装置は、前記撮影装置にスルー画像撮影の指示をした場合は、該スルー画像撮影により得られたスルー画像データを前記表示手段に表示するとともに、前記撮影装置に本画像撮影の指示をした場合は、該本画像撮影により得られた低解像画像データを前記表示手段に表示し、前記記憶手段は、前記撮影装置の本画像撮影により得られた本画像データを記憶することを特徴とする。
【００１２】
請求項７に記載の発明は、請求項６に記載のカメラシステムにおいて、前記制御装置は、前記低解像画像データを前記表示手段に表示する際に、該表示した低解像画像データが本画像データから生成されたものである旨を所定の表示態様で表示することを特徴とする。
【００１３】
請求項８に記載の発明は、通信手段を介して、撮影装置を接続し、該撮影装置に対して、少なくともスルー画像撮影の指示と本画像撮影の指示を行い、前記撮影装置の撮影により得られた画像データを表示手段に表示する制御装置において、前記撮影装置にスルー画像撮影の指示をした場合は、該スルー画像撮影により得られたスルー画像データを前記表示手段に表示するとともに、前記撮影装置に本画像撮影の指示をした場合は、予め得られたスルー画像データを前記表示手段に表示することを特徴とする。
【００１４】
請求項９に記載の発明は、請求項８に記載の制御装置において、前記撮影装置の本画像撮影により得られた本画像データを記憶する記憶手段を備えることを特徴とする。
【００１５】
請求項１０に記載の発明は、請求項８又は９に記載の制御装置において、前記撮影装置に本画像撮影の指示をした場合は、前記撮像装置から該本画像撮影による本画像データが得られると、前記予め得られたスルー画像データから、該得られた本画像データに切り換えて前記表示手段に表示することを特徴とする。
【００１６】
請求項１１に記載の発明は、請求項１０に記載の制御装置において、前記本画像データを前記表示手段に表示する際に、該表示した画像データが本画像データである旨を所定の表示態様で表示することを特徴とする。
【００１７】
請求項１２に記載の発明は、スルー画像撮影と本画像撮影を行って、該本画像撮影により得られた本画像データから該本画像データよりも低解像度の低解像画像データを生成する撮影装置を、通信手段を介して接続し、該撮影装置に対して、少なくともスルー画像撮影の指示と本画像撮影の指示を行い、前記撮影装置の撮影により得られた画像データを表示手段に表示する制御装置において、前記撮影装置にスルー画像撮影の指示をした場合は、該スルー画像撮影により得られたスルー画像データを前記表示手段に表示するとともに、前記撮影装置に本画像撮影の指示をした場合は、該本画像撮影により得られた本画像データから生成された低解像画像データを前記表示手段に表示することを特徴とする。
【００１８】
請求項１３に記載の発明は、請求項１２に記載の制御装置において、前記低解像画像データを前記表示手段に表示する際に、該表示された低解像画像データが本画像データから生成されたものである旨を所定の表示態様で表示することを特徴とする。
【発明の効果】
【００１９】
請求項１、請求項２及び請求項８に記載の発明によれば、本画像撮影の指示をした場合は、表示手段に、予め得られたスルー画像データを表示することができる。すなわち、本画像撮影の指示をした場合は、表示手段に、該指示の直前に得られたスルー画像データを表示することができる。したがって、制御装置側で確認できる画像は、本画像そのものではないものの、本画像と略同一の画像であるため、本画像そのものを確認した場合と略同一の効果を得ることができることとなって、撮影装置で撮影した画像を制御装置側で確認する際、該確認を迅速に行うことができ、ユーザにとって使い勝手がよい。
【００２０】
請求項３及び請求項９に記載の発明によれば、請求項１及び請求項８に記載の発明と同様の効果が得られることは無論のこと、制御装置側に本画像データが記憶されるため、該本画像データの編集などの処理が行いやすくなって、ユーザにとって、より使い勝手がよい。
【００２１】
請求項４及び請求項１０に記載の発明によれば、請求項１〜３及び請求項８又は９の何れか一項に記載の発明と同様の効果が得られることは無論のこと、本画像データが得られると、表示手段に表示する画像データを、予め得られたスルー画像データから該得られた本画像データに切り換えることができる。したがって、本画像そのものも確認することができるため、迅速な確認だけでなく正確な確認もできることとなって、ユーザにとって、より一層使い勝手がよい。
【００２２】
請求項５及び請求項１１に記載の発明によれば、請求項４及び請求項１０に記載の発明と同様の効果が得られることは無論のこと、表示手段に表示する画像データを本画像データに切り換えた際に、該表示した画像データが本画像データである旨を表示することができる。したがって、表示手段に表示された画像データが、スルー画像データであるか、本画像データであるかを、確実に判別することができるようになって、ユーザにとって好都合である。
【００２３】
請求項６及び請求項１２に記載の発明によれば、本画像撮影の指示をした場合は、表示手段に、撮影装置側で生成された本画像の低解像画像データを表示することができる。すなわち、表示手段に表示する本画像の低解像画像データは、本画像データよりもデータ量が少ないため、本画像データよりも迅速に表示することができることとなって、撮影装置で撮影した画像を制御装置側で確認する際、該確認を迅速に行うことができ、ユーザにとって使い勝手がよい。
【００２４】
請求項７及び請求項１３に記載の発明によれば、請求項６及び請求項１２に記載の発明と同様の効果が得られることは無論のこと、表示手段に本画像の低解像画像データを表示する際に、該画像データが本画像データから生成されたものである旨を表示することができる。したがって、表示手段に表示された画像データが、スルー画像データであるか、本画像データから生成されたデータであるかを、確実に判別することができるようになって、ユーザにとって好都合である。
【発明を実施するための最良の形態】
【００２５】
以下、図を参照して、本発明にかかるカメラシステムの最良の形態を詳細に説明する。なお、発明の範囲は、図示例に限定されない。
【００２６】
[第１の実施の形態]
まず、第１の実施の形態におけるカメラシステム１について説明する。
【００２７】
＜カメラシステムの構成＞
まず、カメラシステム１の構成について、図１を参照して説明する。
カメラシステム１は、例えば、監視カメラシステム、照明写真撮影用カメラシステムなどとして用いられるものであって、例えば、図１に示すように、通信手段としての通信ネットワークＮを介して互いに接続された、撮影装置１１と、制御装置１６と、などを備えて構成される。
撮影装置１１は、例えば、デジタルカメラなどであり、制御装置１６は、例えば、パーソナルコンピュータなどである。
通信ネットワークＮは、例えば、インターネット、ＬＡＮ（Local Area Network）、ＷＡＮ（Wide Area Network）などの通信ネットワークであり、電話回線網、ＩＳＤＮ（Integrated Services Digital Network）回線網、広域帯通信回線網、専用線、移動体通信網、通信衛星回線、ＣＡＴＶ（Community Antenna TeleVision）回線網、光通信回線、無線通信回線などの各種通信回線と、それらを接続するインターネットサービスプロバイダを含む。
【００２８】
＜撮影装置の構成＞
撮影装置１１は、例えば、図１に示すように、撮影部１１１と、通信部１１２と、記憶部１１３と、制御部１１４と、などを備えている。各部は、バス１１Ｂによって接続されている。
撮影装置１１は、制御装置１６からに指示に基づいて、少なくともスルー画像撮影と本画像撮影を行う。
【００２９】
撮影部１１１は、例えば、図１に示すように、レンズ（図示省略）を介して入射された光を光電変換してアナログ信号を取得するＣＣＤ（Charge Coupled Device）１１１１と、ＣＣＤ１１１１で取得されたアナログ信号に対してＣＤＳ（Correlated Double Sampling）やＡＧＣ（Automatic Gain Control）などの処理を施すアナログ信号処理回路１１１２と、アナログ信号処理回路１１１２で処理されたアナログ信号をデジタル変換するＡ／Ｄ変換器１１１３と、Ａ／Ｄ変換器１１１３で変換されたデジタル信号に対して輝度信号や色差信号の作成やガンマ補正などの処理を施すデジタル信号処理回路１１１４と、などを備えており、制御部１１４からの指示に従って、所定の画像を撮影する。
具体的には、撮影部１１１は、例えば、制御装置１６からのスルー画像撮影の指示（例えば、「スルー画像撮影」コマンド）に基づく制御部１１４からの指示に従って、スルー画像撮影を行うとともに、制御装置１６からの本画像撮影の指示（例えば、「本画像撮影」コマンド）に基づく制御部１１４からの指示に従って、本画像撮影を行う。
ここで、スルー画像とは、例えば、撮影部１１１が順次取り込む画像のことである。
また、本画像とは、例えば、ユーザにより制御装置１６を介して本撮影の指示がされた際に、撮影部１１１が取り込む画像のことである。本画像はスルー画像に比べて高画質であるため、本画像データのデータ量は、スルー画像データのデータ量よりも多い。
【００３０】
通信部１１２は、例えば、制御装置１６の通信部１６１（後述）と通信ネットワークＮを介して接続されており、制御装置１６との間で各種情報の送受信を行う。
具体的には、通信部１１２は、例えば、制御装置１６からの所定の制御コマンドを受信する。
また、通信部１１２は、例えば、制御装置１６からの「スルー画像撮影」コマンドに基づく制御部１１４からの指示に従って、撮影部１１１のスルー画像撮影により得られたスルー画像データを制御装置１６に転送するとともに、制御装置１６からの「本画像撮影」コマンドに基づく制御部１１４からの指示に従って、撮影部１１１の本画像撮影により得られた本画像データを制御装置１６に転送する。
【００３１】
記憶部１１３は、例えば、磁気的記憶媒体、光学的記憶媒体、若しくは半導体メモリで構成される。
記憶部１１３は、例えば、記憶手段として、制御装置１６からの「本画像撮影」コマンドに基づく制御部１１４からの指示に従って、撮影部１１１の本画像撮影により得られた本画像データを記憶する。
【００３２】
制御部１１４は、例えば、図１に示すように、ＣＰＵ（Central Processing Unit）１１４１と、ＲＡＭ（Random Access Memory）１１４２と、ＲＯＭ（Read Only Memory）１１４３と、などを備えており、撮影装置１１が制御装置１６からの所定の制御コマンドに従って動作するよう、撮影装置１１全体を制御する。
【００３３】
ＣＰＵ１１４１は、ＲＯＭ１１４３に記憶された撮影装置１１用の各種処理プログラムに従って各種の制御動作を行う。
【００３４】
ＲＡＭ１１４２は、ＣＰＵ１１４１によって実行される処理プログラムなどを展開するためのプログラム格納領域や、入力データや上記処理プログラムが実行される際に生じる処理結果などを格納するデータ格納領域などを備える。
【００３５】
ＲＯＭ１１４３は、撮影装置１１で実行可能なシステムプログラム、該システムプログラムで実行可能な各種処理プログラム、これら各種処理プログラムを実行する際に使用されるデータ、ＣＰＵ１１４１によって演算処理された処理結果のデータなどを記憶する。なお、プログラムは、コンピュータが読み取り可能なプログラムコードの形でＲＯＭ１１４３に記憶されている。
【００３６】
＜制御装置の構成＞
制御装置１６は、例えば、図１に示すように、通信部１６１と、バッファ１６２と、表示部１６３と、入力部１６４と、制御部１６５と、などを備えている。各部は、バス１６Ｂによって接続されている。
【００３７】
通信部１６１は、例えば、撮影装置１１の通信部１１２と通信ネットワークＮを介して接続されており、撮影装置１１との間で各種情報の送受信を行う。
具体的には、通信部１６１は、例えば、制御部１６５からの指示に従って、撮影装置１１に対して所定の制御コマンドを送信する。
また、通信部１６１は、例えば、撮影装置１１から転送されたスルー画像データ又は本画像データを受信する。
【００３８】
バッファ１６２は、例えば、制御部１６５からの指示に従って、撮影装置１１のスルー画像撮影により得られたスルー画像データを一時的に記憶する。
【００３９】
表示部１６３は、例えば、図示しない液晶方式などの表示画面を備えるモニタなどであり、制御部１６５からの指示に従って、所与の表示処理を行う。
具体的には、表示部１６３は、例えば、表示手段として、制御部１６５からの指示に従って、撮影装置１１のスルー画像撮影により得られたスルー画像データや、撮影装置１１の本画像撮影により得られた本画像データなどを表示する。
【００４０】
入力部１６４は、例えば、カーソルキー、文字／数字キー、各種機能キーなどから構成され、ユーザのキー操作に伴う押下信号を制御部１６５に出力する。また、入力部１６４は、必要に応じてマウスやタッチパネルなどのポインティングデバイスや、バーコードリーダ、ノートパッド、スキャナ、ＯＣＲ装置など、その他の入力装置を備えるものとしてもよい。
具体的には、入力部１６４は、例えば、ユーザが、スルー撮影又は本撮影を指示する際、すなわち、スルー画像撮影又は本画像撮影を指示する際に使用される。
【００４１】
制御部１６５は、例えば、図１に示すように、ＣＰＵ１６５１、ＲＡＭ１６５２、ＲＯＭ１６５３などを備えている。
【００４２】
ＣＰＵ１６５１は、ＲＯＭ１６５３に記憶された制御装置１６用の各種処理プログラムに従って各種の制御動作を行う。
【００４３】
ＲＡＭ１６５２は、ＣＰＵ１６５１によって実行される処理プログラムなどを展開するためのプログラム格納領域や、入力データや上記処理プログラムが実行される際に生じる処理結果などを格納するデータ格納領域などを備える。
【００４４】
ＲＯＭ１６５３は、制御装置１６で実行可能なシステムプログラム、該システムプログラムで実行可能な各種処理プログラム、これら各種処理プログラムを実行する際に使用されるデータ、ＣＰＵ１６５１によって演算処理された処理結果のデータなどを記憶する。なお、プログラムは、コンピュータが読み取り可能なプログラムコードの形でＲＯＭ１６５３に記憶されている。
具体的には、ＲＯＭ１６５３には、例えば、図１に示すように、スルー画像撮影制御プログラム１６５３ａと、本画像撮影制御プログラム１６５３ｂと、などが記憶されている。
【００４５】
スルー画像撮影制御プログラム１６５３ａは、例えば、ユーザによる入力部１６４の操作によってスルー画像撮影が指示された場合に、通信部１６１に、撮影装置１１に対して「スルー画像撮影」コマンドを送信させ、その後、バッファ１６３に、撮影装置１１から転送された、該「スルー画像撮影」コマンドに基づくスルー画像撮影により得られたスルー画像データを記憶させ、そして、該記憶されたスルー画像データを表示部１６３に表示する機能を、ＣＰＵ１６５１に実現させる。
具体的には、ユーザによる入力部１６４の操作によってスルー画像撮影が指示された場合とは、例えば、撮影装置１１のPowerをＯＮするよう指示された場合などである。
【００４６】
本画像撮影制御プログラム１６５３ｂは、例えば、ユーザによる入力部１６４の操作によって本画像撮影が指示された場合に、通信部１６１に、撮影装置１１に対して「本画像撮影」コマンドを送信させ、そして、予め得られたスルー画像データ（例えば、予めバッファ１６２に記憶された最新のスルー画像データ）を表示部１６３に表示する機能を、ＣＰＵ１６５１に実現させる。
また、本画像撮影制御プログラム１６５３ｂは、例えば、撮影装置１１から、「本画像撮影」コマンドに基づく本画像撮影による本画像データが得られると、予め得られたスルー画像データから、該得られた本画像データに切り換えて、表示部１６３に表示する機能を、ＣＰＵ１６５１に実現させる。
ここで、ＣＰＵ１６５１は、例えば、本画像データを表示部１６３に表示する際、該表示した画像データが本画像データである旨を所定の表示態様で表示することとする。
具体的には、ＣＰＵ１６５１は、例えば、表示部１６３に、本画像データとともに、「本画像です」などの文字表示や本画像データである旨が分かる記号表示などを表示させる。
【００４７】
＜カメラシステムによる処理＞
次に、カメラシステム１による処理について、図２及び図３のフローチャートを参照して説明する。
【００４８】
まず、制御装置１６のＣＰＵ１６５１は、表示部１６３に、例えば、図４に示すような撮影制御画面Ａを表示する（ステップＳ１１）。
図４に示す撮影制御画面Ａには、具体的には、例えば、画像表示画面Ａ１と、カメラパラメータ表示欄Ａ２と、「Ｓ１」キーＡ３と、「Ｓ２」キーＡ４と、「OPEN」キーＡ５と、「CLOSE」キーＡ６と、などが表示されている。
カメラパラメータ表示欄Ａ２に表示されたカメラパラメータは、例えば、ユーザによる入力部１６４の操作によって、ユーザ所望のカメラパラメータに書き換えることができる。
「Ｓ１」キーＡ３は、例えば、撮影装置１１に本画像撮影の準備を指示する際に、具体的には、撮影装置１１に、例えば、ＡＥ（Auto Exposure）、ＡＦ（Auto Focusing）、ＡＷＢ（Auto White Balance）などを実行するよう指示する際に、ユーザによる入力部１６４の操作によって押下される。
「Ｓ２」キーＡ４は、例えば、撮影装置１１に本画像撮影を指示する際に、ユーザによる入力部１６４の操作によって押下される。
【００４９】
次いで、ＣＰＵ１６５１は、例えば、ユーザによる入力部１６４の操作などによって、撮影制御画面Ａ（図４）に表示された「OPEN」キーＡ５が押下されたか否か、すなわち、撮影装置１１のPowerをＯＮするよう指示されたか否かを判断する（ステップＳ１２）。
【００５０】
ステップＳ１２で、撮影装置１１のPowerをＯＮするよう指示されていないと判断すると（ステップＳ１２；Ｎｏ）、ＣＰＵ１６５１は、ステップＳ１２の処理を繰り返して行う。
【００５１】
一方、ステップＳ１２で、撮影装置１１のPowerをＯＮするよう指示されたと判断すると（ステップＳ１２；Ｙｅｓ）、ＣＰＵ１６５１は、制御装置１６の通信部１６１に、撮影装置１１に対して「PowerＯＮ」コマンドを送信させる（ステップＳ１３）。
【００５２】
撮影装置１１の通信部１１２が、ステップＳ１３で送信された「PowerＯＮ」コマンドを受信すると（ステップＳ１４）、撮影装置１１のＣＰＵ１１４１は、該受信された「PowerＯＮ」コマンドに従って、撮影装置１１のPowerをＯＮし（ステップＳ１５）、通信部１１２に、制御装置１６に対して「PowerＯＮ」完了情報を送信させる（ステップＳ１６）。
【００５３】
制御装置１６の通信部１６１が、ステップＳ１６で送信された「PowerＯＮ」完了情報を受信すると（ステップＳ１７）、制御装置１６のＣＰＵ１６５１は、通信部１６１と撮影装置１１の通信部１１２との間で通信条件ネゴシエーションを実行させる（ステップＳ１８）。
【００５４】
ステップＳ１８での通信条件ネゴシエーションが終了すると、制御装置１６のＣＰＵ１６５１は、制御装置１６の通信部１６１に、撮影装置１１に対して撮影制御画面Ａ（図４）のカメラパラメータ表示欄Ａ２に表示されたカメラパラメータと「カメラパラメータセット」コマンドとを送信させる（ステップＳ１９）。
【００５５】
撮影装置１１の通信部１１２が、ステップＳ１９で送信されたカメラパラメータと「カメラパラメータセット」コマンドとを受信すると（ステップＳ２０）、撮影装置１１のＣＰＵ１１４１は、該受信された「カメラパラメータセット」コマンドに従って、該受信されたカメラパラメータに基づいて撮影装置１１のカメラパラメータをセットし（ステップＳ２１）、通信部１１２に、制御装置１６に対して「カメラパラメータセット」完了情報を送信させる（ステップＳ２２）。
【００５６】
制御装置１６の通信部１６１が、ステップＳ２２で送信された「カメラパラメータセット」完了情報を受信すると（ステップＳ２３）、制御装置１６のＣＰＵ１６５１は、後述するスルー画像撮影処理（図５）を開始する（ステップＳ２４）。
【００５７】
次いで、ＣＰＵ１６５１は、撮影制御画面Ａ（図４）に表示された「Ｓ１」キーＡ３が、ユーザによる入力部１６４の操作によって、押下されたか否かを判断する（ステップＳ２５）。
【００５８】
ステップＳ２５で、「Ｓ１」キーＡ３が押下されていないと判断すると（ステップＳ２５；Ｎｏ）、ＣＰＵ１６５１は、ステップＳ２５の処理を繰り返して行う。
【００５９】
一方、ステップＳ２５で、「Ｓ１」キーＡ３が押下されたと判断すると（ステップＳ２５；Ｙｅｓ）、ＣＰＵ１６５１は、制御装置１６の通信部１６１に、撮影装置１１に対して「本画像撮影準備」コマンドを送信させる（ステップＳ２６）。
【００６０】
撮影装置１１の通信部１１２が、ステップＳ２６で送信された「本画像撮影準備」コマンドを受信すると（ステップＳ２７）、撮影装置１１のＣＰＵ１１４１は、該受信された「本画像撮影準備」コマンドに従って、本画像撮影の準備を行い（ステップＳ２８）、通信部１１２に、制御装置１６に対して「本画像撮影準備」完了情報を送信させる（ステップＳ２９）。
【００６１】
制御装置１６の通信部１６１が、ステップＳ２９で送信された「本画像撮影準備」完了情報を受信すると（ステップＳ３０）、制御装置１６のＣＰＵ１６５１は、撮影制御画面Ａ（図４）の所定箇所に、本画像撮影の準備が完了した旨（例えば、「撮影準備が完了しました」などの文字表示）を表示させる（ステップＳ３１）。
【００６２】
次いで、ＣＰＵ１６５１は、撮影制御画面Ａ（図４）に表示された「Ｓ２」キーＡ４が、ユーザによる入力部１６４の操作によって、押下されたか否かを判断する（ステップＳ３２）。
【００６３】
ステップＳ３２で、「Ｓ２」キーＡ４が押下されていないと判断すると（ステップＳ３２；Ｎｏ）、ＣＰＵ１６５１は、ステップＳ３２の処理を繰り返して行う。
【００６４】
一方、ステップＳ３２で、「Ｓ２」キーＡ４が押下されたと判断すると（ステップＳ３２；Ｙｅｓ）、ＣＰＵ１６５１は、ステップＳ２４で開始したスルー画像撮影処理（図５）を停止し（ステップＳ３３）、後述する第１の本画像撮影処理（図６）を実行する（ステップＳ３４）。
【００６５】
次いで、ＣＰＵ１６５１は、例えば、ユーザによる入力部１６４の操作などによって、撮影制御画面Ａ（図４）に表示された「CLOSE」キーＡ６が押下されたか否か、すなわち、撮影装置１１のPowerをＯＦＦするよう指示されたか否かを判断する（ステップＳ３５）。
【００６６】
ステップＳ３５で、撮影装置１１のPowerをＯＦＦするよう指示されていないと判断すると（ステップＳ３５；Ｎｏ）、ＣＰＵ１６５１は、ステップＳ２４以降の処理を繰り返して行う。
【００６７】
一方、ステップＳ３５で、撮影装置１１のPowerをＯＦＦするよう指示されたと判断すると（ステップＳ３５；Ｙｅｓ）、ＣＰＵ１６５１は、通信部１６１と撮影装置１１の通信部１１２との間で通信終了ネゴシエーションを実行させる（ステップＳ３６）。
【００６８】
ステップＳ３６での通信終了ネゴシエーションが終了すると、制御装置１６のＣＰＵ１６５１は、制御装置１６の通信部１６１に、撮影装置１１に対して「PowerＯＦＦ」コマンドを送信させる（ステップＳ３７）。
【００６９】
撮影装置１１の通信部１１２が、ステップＳ３７で送信された「PowerＯＦＦ」コマンドを受信すると（ステップＳ３８）、撮影装置１１のＣＰＵ１１４１は、該受信された「PowerＯＦＦ」コマンドに従って、撮影装置１１のPowerをＯＦＦし（ステップＳ３９）、通信部１１２に、制御装置１６に対して「PowerＯＦＦ」完了情報を送信させ（ステップＳ４０）、本処理を終了する。
【００７０】
そして、制御装置１６の通信部１６１が、ステップＳ４０で送信された「PowerＯＦＦ」完了情報を受信すると（ステップＳ４１）、制御装置１６のＣＰＵ１６５１は、本処理を終了する。
【００７１】
（スルー画像撮影処理）
カメラシステム１によるスルー画像撮影に関する処理について、図５のフローチャートを参照して説明する。
【００７２】
まず、制御装置１６のＣＰＵ１６５１は、スルー画像撮影制御プログラム１６５３ａを実行して、制御装置１６の通信部１６１に、撮影装置１１に対して「スルー画像撮影」コマンドを送信させる（ステップＳ１０１）。
【００７３】
撮影装置１１の通信部１１２が、ステップＳ１０１で送信された「スルー画像撮影」コマンドを受信すると（ステップＳ１０２）、撮影装置１１のＣＰＵ１１４１は、該受信された「スルー画像撮影」コマンドに従って、撮影部１１１に、スルー画像撮影を実行させ（ステップＳ１０３）、通信部１１２に、該スルー画像撮影により得られたスルー画像データを制御装置１６に対して転送させ（ステップＳ１０４）、本処理を終了する。
【００７４】
そして、制御装置１６の通信部１６１が、ステップＳ１０４で転送されたスルー画像データを受信すると（ステップＳ１０５）、制御装置１６のＣＰＵ１６５１は、バッファ１６２に、該受信されたスルー画像データを記憶させ（ステップＳ１０６）、表示部１６３に表示された撮影制御画面Ａ（図４）の画像表示画面Ａ１に、バッファ１６２に記憶されたスルー画像データを表示し（ステップＳ１０７）、本処理を終了する。
【００７５】
（第１の本画像撮影処理）
次に、カメラシステム１による本画像撮影に関する処理について、図６のフローチャートを参照して説明する。
【００７６】
まず、制御装置１６のＣＰＵ１６５１は、本画像撮影制御プログラム１６５３ｂを実行して、表示部１６３に表示された撮影制御画面Ａ（図４）の画像表示画面Ａ１に、バッファ１６２に記憶された最新のスルー画像データを表示するとともに（ステップＳ１１１）、制御装置１６の通信部１６１に、撮影装置１１に対して「本画像撮影」コマンドを送信させる（ステップＳ１１２）。
【００７７】
撮影装置１１の通信部１１２が、ステップＳ１１２で送信された「本画像撮影」コマンドを受信すると（ステップＳ１１３）、撮影装置１１のＣＰＵ１１４１は、該受信された「本画像撮影」コマンドに従って、撮影部１１１に、本画像撮影を実行させ（ステップＳ１１４）、記憶部１１３に、該本画像撮影により得られた本画像データを記憶させ（ステップＳ１１５）、通信部１１２に、該本画像撮影により得られた本画像データを制御装置１６に対して転送させ（ステップＳ１１６）、本処理を終了する。
【００７８】
そして、制御装置１６の通信部１６１が、ステップＳ１１６で転送された本画像データを受信すると（ステップＳ１１７）、制御装置１６のＣＰＵ１６５１は、表示部１６３に表示された撮影制御画面Ａ（図４）の画像表示画面Ａ１に、ステップＳ１１１で表示させたバッファ１６２に記憶された最新のスルー画像データから、該受信された本画像データに切り換えて表示するとともに（ステップＳ１１８）、撮影制御画面Ａ（図４）の所定箇所に、該表示した画像データが本画像データである旨を所定の表示態様（例えば、「本画像です」などの文字表示など）で表示して、本処理を終了する。
【００７９】
以上説明した第１の実施の形態におけるカメラシステム１によれば、本画像撮影の指示をした場合は、表示部１６３に、予め得られた（すなわち、予めバッファ１６２に記憶された）スルー画像データを表示することができる。すなわち、本画像撮影の指示をした場合は、表示部１６３に、例えば、該指示の直前に得られた最新のスルー画像データを表示することができる。したがって、制御装置１６側で確認できる画像は、本画像そのものではないものの、本画像と略同一の画像であるため、本画像そのものを確認した場合と略同一の効果を得ることができることとなって、撮影装置１１で撮影した画像を制御装置１６側で確認する際、該確認を迅速に行うことができ、ユーザにとって使い勝手がよい。
【００８０】
また、本画像データが得られると、表示部１６３に表示する画像データを、予め得られたスルー画像データから該得られた本画像データに切り換えることができる。したがって、本画像そのものも確認することができるため、迅速な確認だけでなく正確な確認もできることとなって、ユーザにとって、より一層使い勝手がよい。
【００８１】
さらに、表示部１６３に表示する画像データを本画像データに切り換えた際に、該表示した画像データが本画像データである旨を表示することができる。したがって、表示部１６３に表示された画像データが、スルー画像データであるか、本画像データであるかを、確実に判別することができるようになって、ユーザにとって好都合である。
【００８２】
[第２の実施の形態]
次に、第２の実施の形態におけるカメラシステム２について説明する。
【００８３】
＜カメラシステムの構成＞
まず、カメラシステム２の構成について、図７を参照して説明する。
なお、第２の実施の形態のカメラシステム２は、本画像データを制御装置側で記憶する点のみが第１の実施の形態のカメラシステム１（図１）と異なる。具体的には、撮影装置１１（図１）の構成の一部、制御装置１６（図１）の構成の一部、制御装置１６（図１）における制御部１６５の構成の一部が異なる。したがって、異なる箇所のみについて説明し、その他の共通する部分は同一符号を付して説明する。
【００８４】
カメラシステム２は、例えば、図７に示すように、通信ネットワークＮを介して互いに接続された、撮影装置２１と、制御装置２６と、などを備えて構成される。
【００８５】
＜撮影装置の構成＞
撮影装置２１は、例えば、図７に示すように、撮影部１１１と、通信部１１２と、制御部１１４と、などを備えている。各部は、バス２１Ｂによって接続されている。
【００８６】
＜制御装置の構成＞
制御装置２６は、例えば、図７に示すように、通信部１６１と、バッファ１６２と、表示部１６３と、入力部１６４と、制御部２６５と、記憶部２６６と、などを備えている。各部は、バス２６Ｂによって接続されている。
【００８７】
制御部２６５は、例えば、図７に示すように、ＣＰＵ１６５１、ＲＡＭ１６５２、ＲＯＭ２６５３などを備えている。
【００８８】
ＲＯＭ２６５３は、制御装置２６で実行可能なシステムプログラム、該システムプログラムで実行可能な各種処理プログラム、これら各種処理プログラムを実行する際に使用されるデータ、ＣＰＵ１６５１によって演算処理された処理結果のデータなどを記憶する。なお、プログラムは、コンピュータが読み取り可能なプログラムコードの形でＲＯＭ２６５３に記憶されている。
具体的には、ＲＯＭ２６５３には、例えば、図７に示すように、スルー画像撮影制御プログラム１６５３ａと、本画像撮影制御プログラム２６５３ｂと、などが記憶されている。
【００８９】
本画像撮影制御プログラム２６５３ｂは、例えば、ユーザによる入力部１６４の操作によって本画像撮影が指示された場合に、通信部１６１に、撮影装置２１に対して「本画像撮影」コマンドを送信させ、そして、予め得られたスルー画像データ（例えば、予めバッファ１６２に記憶された最新のスルー画像データ）を表示部１６３に表示し、その後、記憶部２６６に、撮影装置２１から転送された、該「本画像撮影」コマンドに基づく本画像撮影により得られた本画像データを記憶させる機能を、ＣＰＵ１６５１に実現させる。
また、本画像撮影制御プログラム２６５３ｂは、例えば、撮影装置２１から、「本画像撮影」コマンドに基づく本画像撮影による本画像データが得られると、予め得られたスルー画像データから、該得られた本画像データに切り換えて、表示部１６３に表示する機能を、ＣＰＵ１６５１に実現させる。
ここで、ＣＰＵ１６５１は、例えば、本画像データを表示部１６３に表示する際、該表示した画像データが本画像データである旨を所定の表示態様で表示することとする。
【００９０】
記憶部２６６は、例えば、磁気的記憶媒体、光学的記憶媒体、若しくは半導体メモリで構成される。
記憶部２６６は、例えば、制御部２６５からの指示に従って、撮影装置２１の本画像撮影により得られた本画像データを記憶する。
【００９１】
＜カメラシステムによる処理＞
次に、カメラシステム２による処理について説明する。
なお、カメラシステム２による処理は、本画像撮影処理のみがカメラシステム１による処理（図２及び図３）と異なる。具体的には、カメラシステム２による処理は、カメラシステム１による処理（図２及び図３）のステップＳ３４で、後述する第２の本画像撮影処理（図８）を実行する点のみが、カメラシステム１による処理（図２及び図３）と異なる。したがって、異なる箇所のみについて説明する。
【００９２】
（第２の本画像撮影処理）
カメラシステム２による本画像撮影に関する処理について、図８のフローチャートを参照して説明する。
【００９３】
まず、制御装置２６のＣＰＵ１６５１は、本画像撮影制御プログラム２６５３ｂを実行して、表示部１６３に表示された撮影制御画面Ａ（図４）の画像表示画面Ａ１に、バッファ１６２に記憶された最新のスルー画像データを表示するとともに（ステップＳ２１１）、制御装置２６の通信部１６１に、撮影装置２１に対して「本画像撮影」コマンドを送信させる（ステップＳ２１２）。
【００９４】
撮影装置２１の通信部１１２が、ステップＳ２１２で送信された「本画像撮影」コマンドを受信すると（ステップＳ２１３）、撮影装置２１のＣＰＵ１１４１は、該受信された「本画像撮影」コマンドに従って、撮影部１１１に、本画像撮影を実行させ（ステップＳ２１４）、通信部１１２に、該本画像撮影により得られた本画像データを制御装置２６に対して転送させ（ステップＳ２１５）、本処理を終了する。
【００９５】
そして、制御装置２６の通信部１６１が、ステップＳ２１５で転送された本画像データを受信すると（ステップＳ２１６）、制御装置２６のＣＰＵ１６５１は、記憶部２６６に、該受信された本画像データを記憶させる（ステップＳ２１７）。
【００９６】
次いで、ＣＰＵ１６５１は、表示部１６３に表示された撮影制御画面Ａ（図４）の画像表示画面Ａ１に、ステップＳ２１１で表示させたバッファ１６２に記憶された最新のスルー画像データから、ステップＳ２１６で受信された本画像データに切り換えて表示するとともに（ステップＳ２１８）、撮影制御画面Ａ（図４）の所定箇所に、該表示した画像データが本画像データである旨を所定の表示態様で表示させて、本処理を終了する。
【００９７】
以上説明した第２の実施の形態におけるカメラシステム２によれば、制御装置２６側に本画像データが記憶されるため、該本画像データの編集などの処理が行いやすくなって、ユーザにとって、より使い勝手がよい。
【００９８】
[第３の実施の形態]
次に、第３の実施の形態におけるカメラシステム３について説明する。
【００９９】
＜カメラシステムの構成＞
まず、カメラシステム３の構成について、図９を参照して説明する。
なお、第３の実施の形態のカメラシステム３は、撮影装置から制御装置に転送する本画像データが低解像である点のみが第１の実施の形態のカメラシステム１（図１）と異なる。具体的には、撮影装置１１（図１）の構成の一部、撮影装置１１（図１）における通信部１１２及び記憶部１１３の構成の一部、制御装置１６（図１）における通信部１６１及び制御部１６５の構成の一部が異なる。したがって、異なる箇所のみについて説明し、その他の共通する部分は同一符号を付して説明する。
【０１００】
カメラシステム３は、例えば、図９に示すように、通信ネットワークＮを介して互いに接続された、撮影装置３１と、制御装置３６と、などを備えて構成される。
【０１０１】
＜撮影装置の構成＞
撮影装置３１は、例えば、図９に示すように、撮影部１１１と、通信部３１２と、記憶部３１３と、制御部１１４と、生成部３１５と、などを備えている。各部は、バス３１Ｂによって接続されている。
【０１０２】
通信部３１２は、例えば、制御装置３６の通信部３６１（後述）と通信ネットワークＮを介して接続されており、制御装置３６との間で各種情報の送受信を行う。
具体的には、通信部３１２は、例えば、制御装置３６からの所定の制御コマンドを受信する。
また、通信部３１２は、例えば、制御装置３６からの「スルー画像撮影」コマンドに基づく制御部１１４からの指示に従って、撮影部１１１のスルー画像撮影により得られたスルー画像データを制御装置３６に転送する。
また、通信部３１２は、例えば、制御装置３６からの「本画像撮影」コマンドに基づく制御部１１４からの指示に従って、生成部３１５により生成された本画像の低解像画像データ（後述）を制御装置３６に転送する。
【０１０３】
記憶部３１３は、例えば、磁気的記憶媒体、光学的記憶媒体、若しくは半導体メモリで構成される。
記憶部３１３は、例えば、制御装置３６からの「本画像撮影」コマンドに基づく制御部１１４からの指示に従って、撮影部１１１の本画像撮影により得られた本画像データから生成部３１５により生成された本画像のＥｘｉｆ（Exchangeable Image File Format）ファイルなど（後述）を記憶する。
【０１０４】
生成部３１５は、例えば、制御装置３６からの「本画像撮影」コマンドに基づく制御部１１４からの指示に従って、撮影部１１１の本画像撮影により得られた本画像データから、所定のファイル形式の本画像データ（例えば、本画像のＥｘｉｆファイルなど）を生成する。
ここで、生成部３１５により生成される本画像のＥｘｉｆファイルには、例えば、本画像データと、該本画像データよりも低解像度の低解像画像データ（例えば、サムネイル画像データなど）と、などが含まれている。すなわち、生成部３１５は、制御装置３６からの「本画像撮影」コマンドに基づく制御部１１４からの指示に従って、撮影部１１１の本画像撮影により得られた本画像データから本画像の低解像画像データを生成することができる。
【０１０５】
＜制御装置の構成＞
制御装置３６は、例えば、図９に示すように、通信部３６１と、バッファ１６２と、表示部１６３と、入力部１６４と、制御部３６５と、などを備えている。各部は、バス３６Ｂによって接続されている。
【０１０６】
通信部３６１は、例えば、撮影装置３１の通信部３１２と通信ネットワークＮを介して接続されており、撮影装置３１との間で各種情報の送受信を行う。
具体的には、通信部３６１は、例えば、制御部３６５からの指示に従って、撮影装置３１に対して所定の制御コマンドを送信する。
また、通信部３６１は、例えば、撮影装置３１から転送されたスルー画像データ又は本画像の低解像画像データを受信する。
【０１０７】
制御部３６５は、例えば、図９に示すように、ＣＰＵ１６５１、ＲＡＭ１６５２、ＲＯＭ３６５３などを備えている。
【０１０８】
ＲＯＭ３６５３は、制御装置３６で実行可能なシステムプログラム、該システムプログラムで実行可能な各種処理プログラム、これら各種処理プログラムを実行する際に使用されるデータ、ＣＰＵ１６５１によって演算処理された処理結果のデータなどを記憶する。なお、プログラムは、コンピュータが読み取り可能なプログラムコードの形でＲＯＭ３６５３に記憶されている。
具体的には、ＲＯＭ３６５３には、例えば、図９に示すように、スルー画像撮影制御プログラム１６５３ａと、本画像撮影制御プログラム３６５３ｂと、などが記憶されている。
【０１０９】
本画像撮影制御プログラム３６５３ｂは、例えば、ユーザによる入力部１６４の操作によって本画像撮影が指示された場合に、通信部３６１に、撮影装置３１に対して「本画像撮影」コマンドを送信させ、その後、撮影装置３１から転送された、該「本画像撮影」コマンドに基づく本画像撮影により得られた本画像の低解像画像データを、表示部１６３に表示する機能を、ＣＰＵ１６５１に実現させる。
ここで、ＣＰＵ１６５１は、例えば、本画像の低解像画像データを表示部１６３に表示する際、該表示した低解像画像データが本画像データから生成されたものである旨を所定の表示態様で表示することとする。
具体的には、ＣＰＵ１６５１は、例えば、表示部１６３に、本画像の低解像画像データとともに、「本画像です」などの文字表示や本画像データから生成されたものである旨が分かる記号表示などを表示させる。
【０１１０】
＜カメラシステムによる処理＞
次に、カメラシステム３による処理について説明する。
なお、カメラシステム３による処理は、本画像撮影処理のみがカメラシステム１による処理（図２及び図３）と異なる。具体的には、カメラシステム３による処理は、カメラシステム１による処理（図２及び図３）のステップＳ３４で、後述する第３の本画像撮影処理（図１０）を実行する点のみが、カメラシステム１による処理（図２及び図３）と異なる。したがって、異なる箇所のみについて説明する。
【０１１１】
（第３の本画像撮影処理）
カメラシステム３による本画像撮影に関する処理について、図１０のフローチャートを参照して説明する。
【０１１２】
まず、制御装置３６のＣＰＵ１６５１は、本画像撮影制御プログラム３６５３ｂを実行して、制御装置３６の通信部３６１に、撮影装置３１に対して「本画像撮影」コマンドを送信させる（ステップＳ３１１）。
【０１１３】
撮影装置３１の通信部３１２が、ステップＳ３１１で送信された「本画像撮影」コマンドを受信すると（ステップＳ３１２）、撮影装置３１のＣＰＵ１１４１は、該受信された「本画像撮影」コマンドに従って、撮影部１１１に、本画像撮影を実行させ（ステップＳ３１３）、生成部３１５に、該本画像撮影により得られた本画像データから本画像のＥｘｉｆファイルを生成させ（ステップＳ３１４）、記憶部３１３に、該生成された本画像のＥｘｉｆファイルを記憶させ（ステップＳ３１５）、該生成された本画像のＥｘｉｆファイルから本画像の低解像画像データを抽出し（ステップＳ３１６）、通信部３１２に、該抽出された本画像の低解像画像データを制御装置３６に対して転送させ（ステップＳ３１７）、本処理を終了する。
【０１１４】
そして、制御装置３６の通信部３６１が、ステップＳ３１７で転送された本画像の低解像画像データを受信すると（ステップＳ３１８）、制御装置３６のＣＰＵ１６５１は、表示部１６３に表示された撮影制御画面Ａ（図４）の画像表示画面Ａ１に、該受信された本画像の低解像画像データを表示させるとともに（ステップＳ３１９）、撮影制御画面Ａ（図４）の所定箇所に、該表示した画像データが本画像データから生成されたものである旨を所定の表示態様で表示させて、本処理を終了する。
【０１１５】
以上説明した第３の実施の形態におけるカメラシステム３によれば、本画像撮影の指示をした場合は、表示部１６３に、撮影装置３１側で生成された本画像の低解像画像データを表示することができる。すなわち、表示部１６３に表示する本画像の低解像画像データは、本画像データよりもデータ量が少ないため、本画像データよりも迅速に表示することができることとなって、撮影装置３１で撮影した画像を制御装置３６側で確認する際、該確認を迅速に行うことができ、ユーザにとって使い勝手がよい。
【０１１６】
また、表示部１６３に本画像の低解像画像データを表示する際に、該画像データが本画像データから生成されたものである旨を表示することができる。したがって、表示部１６３に表示された画像データが、スルー画像データであるか、本画像データから生成されたデータであるかを、確実に判別することができるようになって、ユーザにとって好都合である。
【０１１７】
なお、本発明は、上記した実施の形態のものに限るものではなく、その要旨を逸脱しない範囲で適宜変更可能である。
第１の実施の形態においては記憶部１１３を撮影装置１１に備え、第２の実施の形態においては記憶部２６６を制御装置２６に備え、第３の実施の形態においては記憶部３１３を撮影装置３１に備えるようにしたが、すなわち、本画像データを記憶する記憶部と撮影装置又は制御装置とを一体であるとしたが、記憶部と撮影装置又は制御装置とは別体であってもよい。
【０１１８】
第１の実施の形態において、本画像撮影の指示をした際に、予め得られた最新のスルー画像データを表示するようにしたが、本画像撮影の指示をした際に表示する画像データは、予め得られた（すなわち、予めバッファ１６２に記憶された）スルー画像データであれば任意である。
第２の実施の形態においても同様である。
【０１１９】
第１の実施の形態において、本画像データを、撮影装置１１から制御装置１６に転送するようにしたが、本画像データは、必ずしも制御装置１６に転送される必要はない。本画像データが制御装置１６に転送されない場合は、無論、本画像データは制御装置１６の表示部１６３に表示されない。
また、第２の実施の形態において、制御装置１６側で、本画像データを記憶するとともに、本画像データを表示するようにしたが、少なくとも制御装置１６側で本画像データが記憶されればよい。
【０１２０】
第１の実施の形態において、撮影装置１１の記憶部１１３に本画像データを記憶するようにしたが、この限りでなく、例えば、撮影装置１１側で本画像データから本画像のＥｘｉｆファイルなどを生成することができるようにしておき、記憶部１１３に、該生成された本画像のＥｘｉｆファイルなどを記憶するようにしてもよい。
また、第２の実施の形態において、制御装置２６の記憶部２６６に本画像データを記憶するようにしたが、この限りでなく、例えば、撮影装置２１側又は制御装置２６側で本画像データから本画像のＥｘｉｆファイルなどを生成することができるようにしておき、記憶部２６６に、該生成された本画像のＥｘｉｆファイルなどを記憶するようにしてもよい。
【０１２１】
第３の実施の形態において、生成部３１５において、本画像のＥｘｉｆファイルなどを生成するようにしたが、生成部３１５は、少なくとも本画像データから該本画像データよりも低解像度の低解像画像データを生成することができればよく、必ずしもＥｘｉｆファイルなどを生成する必要はない。生成部３１５により本画像の低解像画像データのみが生成され、本画像のＥｘｉｆファイルなどが生成されない場合は、撮影装置３１の記憶部３１３には、第１の実施の形態の記憶部１１３と同様、本画像データが記憶される。
【０１２２】
第１の実施の形態において、撮影装置１１と制御装置１６とは、通信手段としての通信ネットワークＮを介して接続されるのではなく、例えば、通信手段としてのケーブル（例えば、ＵＳＢ（Universal Serial Bus）ケーブルなど）を介して、直接、接続されていてもよい。
第２の実施の形態及び第３の実施の形態においても同様である。
【図面の簡単な説明】
【０１２３】
【図１】第１の実施の形態におけるカメラシステムの機能的構成を示すブロック図である。
【図２】第１の実施の形態におけるカメラシステムによる第１の処理を説明するためのフローチャートである。
【図３】第１の実施の形態におけるカメラシステムによる第２の処理を説明するためのフローチャートである。
【図４】撮影制御画面を示す図である。
【図５】第１の実施の形態におけるカメラシステムによるスルー画像撮影に関する処理を説明するためのフローチャートである。
【図６】第１の実施の形態におけるカメラシステムによる本画像撮影に関する処理を説明するためのフローチャートである。
【図７】第２の実施の形態におけるカメラシステムの機能的構成を示すブロック図である。
【図８】第２の実施の形態におけるカメラシステムによる本画像撮影に関する処理を説明するためのフローチャートである。
【図９】第３の実施の形態におけるカメラシステムの機能的構成を示すブロック図である。
【図１０】第３の実施の形態におけるカメラシステムによる本画像撮影に関する処理を説明するためのフローチャートである。
【符号の説明】
【０１２４】
１，２，３  カメラシステム
１１，２１，３１  撮影装置
１１３  記憶部（記憶手段）
１６，２６，３６  制御装置
１６３  表示部（表示手段）
２６６  記憶部（記憶手段）
Ｎ  通信ネットワーク（通信手段）
【図１】
2007129525.tif 000003
【図２】
2007129525.tif 000004
【図３】
2007129525.tif 000005
【図４】
2007129525.tif 000006
【図５】
2007129525.tif 000007
【図６】
2007129525.tif 000008
【図７】
2007129525.tif 000009
【図８】
2007129525.tif 000010
【図９】
2007129525.tif 000011
【図１０】
2007129525.tif 000012